(57)【要約】【課題】バックライト光の信号配線における反射光に起因する表示ムラを低減することができる液晶表示装置を提供する。【解決手段】液晶表示装置においては、第１基板は、第１方向に延在するデータ線と、第２方向に延在するゲート線と、画素電極と、共通電極と、前記第１方向に延在する共通電極配線と、画素と、を含み、第２基板は、青色部と赤色部と緑色部と遮光部と、を含み、青色画素及び赤色画素の境界に配置される前記共通電極配線の第２方向の幅の中心位置が、前記青色画素及び前記赤色画素の境界に配置される前記データ線の第２方向の幅の中心位置よりも前記赤色画素側にずれており、前記赤色画素及び緑色画素の境界に配置される前記共通電極配線の第２方向の幅の中心位置が、前記赤色画素及び前記緑色画素の境界に配置される前記データ線の第２方向の幅の中心位置よりも前記赤色画素側にずれている。【選択図】図４
2017167351.tif 000002
【特許請求の範囲】
【請求項１】
対向配置された、第１基板と第２基板と、前記第１基板と前記第２基板とに挟まれた液晶層と、を含み、
前記第１基板は、第１方向に延在する複数の第１配線と、前記第１方向とは異なる第２方向に延在する複数の第２配線と、前記第１方向に延在し、前記第１配線と少なくとも部分的に重畳する複数の第３配線と、複数の画素電極と、前記複数の画素電極に対向配置された共通電極と、前記第１方向及び前記第２方向に配置された複数の画素と、を含み、
前記第２基板は、青色の光を透過する青色部と、赤色の光を透過する赤色部と、緑色の光を透過する緑色部と、前記青色部、前記赤色部及び前記緑色部それぞれの境界部分に配置され、前記各色の光の透過を遮断する遮光部と、を含み、
前記複数の画素は、前記青色部に対応する青色画素と、前記赤色部に対応する赤色画素と、前記緑色部に対応する緑色画素と、を含み、
前記複数の第３配線は、前記複数の第１配線よりも前記液晶層側に形成されており、
前記青色画素及び前記赤色画素の境界に配置される前記第３配線の前記第２方向の幅の中心位置が、前記青色画素及び前記赤色画素の境界に配置される前記第１配線の前記第２方向の幅の中心位置より前記赤色画素側にずれており、前記赤色画素及び前記緑色画素の境界に配置される前記第３配線の前記第２方向の幅の中心位置が、前記赤色画素及び前記緑色画素の境界に配置される前記第１配線の前記第２方向の幅の中心位置より前記赤色画素側にずれている、
ことを特徴とする液晶表示装置。
【請求項２】
前記赤色画素及び前記緑色画素の境界に配置される前記第３配線の前記第２方向の幅の中心位置と、前記赤色画素及び前記緑色画素の境界に配置される前記第１配線の前記第２方向の幅の中心位置とのずれ量は、
前記青色画素及び前記緑色画素の境界に配置される前記第３配線の前記第２方向の幅の中心位置と、前記青色画素及び前記緑色画素の境界に配置される前記第１配線の前記第２方向の幅の中心位置とのずれ量よりも大きい、
ことを特徴とする請求項１に記載の液晶表示装置。
【請求項３】
前記複数の第１配線及び前記複数の第３配線は、銅を含む金属材料で形成されている、
ことを特徴とする請求項１に記載の液晶表示装置。
【請求項４】
前記第１配線はデータ線であり、前記第２配線はゲート線であり、かつ、前記第３配線は前記共通電極に共通電圧を供給する共通電極配線である、
ことを特徴とする請求項３に記載の液晶表示装置。
【請求項５】
前記複数のデータ線は、前記第２方向に等間隔で配置されている、
ことを特徴とする請求項４に記載の液晶表示装置。
【請求項６】
前記複数の共通電極配線は、前記第２方向に等間隔で配置されており、
前記青色画素及び前記赤色画素の境界に配置される前記データ線の前記第２方向の幅の中心位置が、前記青色画素及び前記赤色画素の境界に配置される前記共通電極配線の前記第２方向の幅の中心位置より前記青色画素側にずれており、前記赤色画素及び前記緑色画素の境界に配置される前記データ線の前記第２方向の幅の中心位置が、前記赤色画素及び前記緑色画素の境界に配置される前記共通電極配線の前記第２方向の幅の中心位置より前記緑色画素側にずれている、
ことを特徴とする請求項４に記載の液晶表示装置。
【請求項７】
前記遮光部における前記第１方向に延在する部分は、前記第２方向に等間隔で配置されており、
前記青色画素及び前記赤色画素の境界に配置される前記共通電極配線の前記第２方向の幅の中心位置が、前記青色部及び前記赤色部の境界に配置される前記遮光部の前記第２方向の幅の中心位置よりも前記赤色画素側にずれており、前記青色画素及び前記赤色画素の境界に配置される前記データ線の前記第２方向の幅の中心位置が、前記青色部及び前記赤色部の境界に配置される前記遮光部の前記第２方向の幅の中心位置よりも前記青色画素側にずれており、
前記赤色画素及び前記緑色画素の境界に配置される前記共通電極配線の前記第２方向の幅の中心位置が、前記赤色部及び前記緑色部の境界に配置される前記遮光部の前記第２方向の幅の中心位置よりも前記赤色画素側にずれており、前記赤色画素及び前記緑色画素の境界に配置される前記データ線の前記第２方向の幅の中心位置が、前記赤色部及び前記緑色部の境界に配置される前記遮光部の前記第２方向の幅の中心位置よりも前記緑色画素側にずれている、
ことを特徴とする請求項４に記載の液晶表示装置。
【請求項８】
前記青色画素及び前記赤色画素の境界に配置される前記共通電極配線と、前記赤色画素及び前記緑色画素の境界に配置される前記共通電極配線とは、バックライト光が前記複数のデータ線及び前記複数の共通電極配線に反射することにより生じる赤色成分を含む反射光の前記赤色部への入射を遮断する、
ことを特徴とする請求項４に記載の液晶表示装置。
【請求項９】
前記複数のデータ線を覆う絶縁膜をさらに含み、
前記共通電極は、前記絶縁膜上に形成されており、
前記複数の共通電極配線は、前記共通電極上に形成されている、
ことを特徴とする請求項４に記載の液晶表示装置。
【請求項１０】
前記第１配線は前記共通電極に共通電圧を供給する共通電極配線であり、前記第２配線はゲート線であり、かつ、前記第３配線はデータ線である、
ことを特徴とする請求項３に記載の液晶表示装置。
【請求項１１】
前記第１配線はゲート線であり、前記第２配線はデータ線であり、かつ、前記第３配線は前記共通電極に共通電圧を供給する共通電極配線である、
ことを特徴とする請求項３に記載の液晶表示装置。
【請求項１２】
対向配置された、第１基板と第２基板と、前記第１基板と前記第２基板とに挟まれた液晶層と、を含み、
前記第１基板は、第１方向に延在する複数の第１配線と、前記第１方向とは異なる第２方向に延在する複数の第２配線と、前記第１方向に延在し、前記第１配線と少なくとも部分的に重畳する複数の第３配線と、複数の画素電極と、前記複数の画素電極に対向配置された共通電極と、前記第１方向及び前記第２方向に配置された複数の画素と、を含み、
前記第２基板は、青色の光を透過する青色部と、赤色の光を透過する赤色部と、緑色の光を透過する緑色部と、前記青色部、前記赤色部及び前記緑色部それぞれの境界部分に配置され、前記各色の光の透過を遮断する遮光部と、を含み、
前記複数の画素は、前記青色部に対応する青色画素と、前記赤色部に対応する赤色画素と、前記緑色部に対応する緑色画素と、を含み、
前記複数の第１配線及び前記複数の第３配線は、銅を含む金属材料で形成されており、
前記複数の第３配線は、前記複数の第１配線よりも前記液晶層側に形成されており、
前記赤色画素を挟む隣り合う２本の前記第１配線の間隔である第１間隔は、前記青色画素を挟む隣り合う２本の前記第１配線の間隔である第２間隔と等しく、
前記赤色画素を挟む隣り合う２本の前記第３配線の間隔である第３間隔は、前記青色画素を挟む隣り合う２本の前記第３配線の間隔である第４間隔よりも狭い、
ことを特徴とする液晶表示装置。
【請求項１３】
前記第１配線はデータ線であり、前記第２配線はゲート線であり、かつ、前記第３配線は前記共通電極に共通電圧を供給する共通電極配線である、
ことを特徴とする請求項１２に記載の液晶表示装置。
【請求項１４】
前記遮光部における前記第１方向に延在する部分は、前記第２方向に第５間隔で等間隔に配置されている、
ことを特徴とする請求項１３に記載の液晶表示装置。
【請求項１５】
前記第５間隔は、前記第１間隔と等しく、前記第３間隔より広い、
ことを特徴とする請求項１４に記載の液晶表示装置。
【請求項１６】
前記第５間隔は、前記第１間隔より狭く、前記第３間隔と等しい、
ことを特徴とする請求項１４に記載の液晶表示装置。
【請求項１７】
前記第５間隔は、前記第１間隔より狭く、前記第３間隔より広い、
ことを特徴とする請求項１４に記載の液晶表示装置。
【発明の詳細な説明】
【技術分野】
【０００１】
本発明は、液晶表示装置に関する。
【背景技術】
【０００２】
液晶表示装置は、薄膜トランジスタ基板（以下、ＴＦＴ基板という。）と、ＴＦＴ基板に対向するカラーフィルタ基板（以下、ＣＦ基板という。）と、ＴＦＴ基板及びＣＦ基板の間に挟持される液晶層と、を含んでいる。また各種の液晶表示装置のうち横電界方式の液晶表示装置では、ＴＦＴ基板に画素電極及び共通電極（コモン電極ともいう。）が形成されており、ＣＦ基板に、異なる色（例えば赤色、緑色、青色）の光を透過する着色部（例えば赤色部、緑色部、青色部）と、各着色部の境界部分に配置される遮光部（以下、ブラックマトリクスという。）が形成されている。従来、横電界方式の液晶表示装置において、共通電極上にＣｕ等の金属からなる共通電極配線（コモン配線ともいう。）を、データ線の延在方向に沿って、かつ平面的に見てデータ線に重なるように形成する構成が提案されている（例えば特許文献１参照）。
【先行技術文献】
【特許文献】
【０００３】
【特許文献１】特開２００８−１９１６６９号公報
【発明の概要】
【発明が解決しようとする課題】
【０００４】
しかし、特許文献１の構成では、赤色画素に隣り合う青色画素及び緑色画素に照射されたバックライト光が、青色画素及び赤色画素の境界に配置される共通電極配線や、赤色画素及び緑色画素の境界に配置される共通電極配線で反射し、この反射光が、青色画素及び赤色画素の境界に配置されるデータ線や、赤色画素及び緑色画素の境界に配置されるデータ線で再び反射される。共通電極配線及びデータ線が銅Ｃｕを含む金属配線で形成されている場合、これらの反射光は赤色を主成分として含むため、最終的に、反射光は赤色画素に対応する赤色部を透過してＣＦ基板から外部へ出射される。これにより、各着色部の透過光量が不均一になり、表示ムラが視認されるという問題が生じる。
【０００５】
本発明は、上記問題点に鑑みてなされたものであり、その目的は、バックライト光の信号配線における反射光に起因する表示ムラを低減することができる液晶表示装置を提供することにある。
【課題を解決するための手段】
【０００６】
本発明に係る液晶表示装置は、上記課題を解決するために、対向配置された、第１基板と第２基板と、前記第１基板と前記第２基板とに挟まれた液晶層と、を含み、前記第１基板は、第１方向に延在する複数の第１配線と、前記第１方向とは異なる第２方向に延在する複数の第２配線と、前記第１方向に延在し、前記第１配線と少なくとも部分的に重畳する複数の第３配線と、複数の画素電極と、前記複数の画素電極に対向配置された共通電極と、前記第１方向及び前記第２方向に配置された複数の画素と、を含み、前記第２基板は、青色の光を透過する青色部と、赤色の光を透過する赤色部と、緑色の光を透過する緑色部と、前記青色部、前記赤色部及び前記緑色部それぞれの境界部分に配置され、前記各色の光の透過を遮断する遮光部と、を含み、前記複数の画素は、前記青色部に対応する青色画素と、前記赤色部に対応する赤色画素と、前記緑色部に対応する緑色画素と、を含み、前記複数の第３配線は、前記複数の第１配線よりも前記液晶層側に形成されており、前記青色画素及び前記赤色画素の境界に配置される前記第３配線の前記第２方向の幅の中心位置が、前記青色画素及び前記赤色画素の境界に配置される前記第１配線の前記第２方向の幅の中心位置より前記赤色画素側にずれており、前記赤色画素及び前記緑色画素の境界に配置される前記第３配線の前記第２方向の幅の中心位置が、前記赤色画素及び前記緑色画素の境界に配置される前記第１配線の前記第２方向の幅の中心位置より前記赤色画素側にずれている、ことを特徴とする。
【０００７】
本発明に係る液晶表示装置では、前記赤色画素及び前記緑色画素の境界に配置される前記第３配線の前記第２方向の幅の中心位置と、前記赤色画素及び前記緑色画素の境界に配置される前記第１配線の前記第２方向の幅の中心位置とのずれ量は、前記青色画素及び前記緑色画素の境界に配置される前記第３配線の前記第２方向の幅の中心位置と、前記青色画素及び前記緑色画素の境界に配置される前記第１配線の前記第２方向の幅の中心位置とのずれ量よりも大きくてもよい。
【０００８】
本発明に係る液晶表示装置では、前記複数の第１配線及び前記複数の第３配線は、銅を含む金属材料で形成されていてもよい。
【０００９】
本発明に係る液晶表示装置では、前記第１配線はデータ線であり、前記第２配線はゲート線であり、かつ、前記第３配線は前記共通電極に共通電圧を供給する共通電極配線であってもよい。
【００１０】
本発明に係る液晶表示装置では、前記複数のデータ線は、前記第２方向に等間隔で配置されていてもよい。
【００１１】
本発明に係る液晶表示装置では、前記複数の共通電極配線は、前記第２方向に等間隔で配置されており、前記青色画素及び前記赤色画素の境界に配置される前記データ線の前記第２方向の幅の中心位置が、前記青色画素及び前記赤色画素の境界に配置される前記共通電極配線の前記第２方向の幅の中心位置より前記青色画素側にずれており、前記赤色画素及び前記緑色画素の境界に配置される前記データ線の前記第２方向の幅の中心位置が、前記赤色画素及び前記緑色画素の境界に配置される前記共通電極配線の前記第２方向の幅の中心位置より前記緑色画素側にずれていてもよい。
【００１２】
本発明に係る液晶表示装置では、前記遮光部における前記第１方向に延在する部分は、前記第２方向に等間隔で配置されており、前記青色画素及び前記赤色画素の境界に配置される前記共通電極配線の前記第２方向の幅の中心位置が、前記青色部及び前記赤色部の境界に配置される前記遮光部の前記第２方向の幅の中心位置よりも前記赤色画素側にずれており、前記青色画素及び前記赤色画素の境界に配置される前記データ線の前記第２方向の幅の中心位置が、前記青色部及び前記赤色部の境界に配置される前記遮光部の前記第２方向の幅の中心位置よりも前記青色画素側にずれており、前記赤色画素及び前記緑色画素の境界に配置される前記共通電極配線の前記第２方向の幅の中心位置が、前記赤色部及び前記緑色部の境界に配置される前記遮光部の前記第２方向の幅の中心位置よりも前記赤色画素側にずれており、前記赤色画素及び前記緑色画素の境界に配置される前記データ線の前記第２方向の幅の中心位置が、前記赤色部及び前記緑色部の境界に配置される前記遮光部の前記第２方向の幅の中心位置よりも前記緑色画素側にずれていてもよい。
【００１３】
本発明に係る液晶表示装置では、前記青色画素及び前記赤色画素の境界に配置される前記共通電極配線と、前記赤色画素及び前記緑色画素の境界に配置される前記共通電極配線とは、バックライト光が前記複数のデータ線及び前記複数の共通電極配線に反射することにより生じる赤色成分を含む反射光の前記赤色部への入射を遮断してもよい。
【００１４】
本発明に係る液晶表示装置では、前記複数のデータ線を覆う絶縁膜をさらに含み、前記共通電極は、前記絶縁膜上に形成されており、前記複数の共通電極配線は、前記共通電極上に形成されてもよい。
【００１５】
本発明に係る液晶表示装置では、前記第１配線は前記共通電極に共通電圧を供給する共通電極配線であり、前記第２配線はゲート線であり、かつ、前記第３配線はデータ線であってもよい。
【００１６】
本発明に係る液晶表示装置では、前記第１配線はゲート線であり、前記第２配線はデータ線であり、かつ、前記第３配線は前記共通電極に共通電圧を供給する共通電極配線であってもよい。
【００１７】
本発明に係る液晶表示装置は、上記課題を解決するために、対向配置された、第１基板と第２基板と、前記第１基板と前記第２基板とに挟まれた液晶層と、を含み、前記第１基板は、第１方向に延在する複数の第１配線と、前記第１方向とは異なる第２方向に延在する複数の第２配線と、前記第１方向に延在し、前記第１配線と少なくとも部分的に重畳する複数の第３配線と、複数の画素電極と、前記複数の画素電極に対向配置された共通電極と、前記第１方向及び前記第２方向に配置された複数の画素と、を含み、前記第２基板は、青色の光を透過する青色部と、赤色の光を透過する赤色部と、緑色の光を透過する緑色部と、前記青色部、前記赤色部及び前記緑色部それぞれの境界部分に配置され、前記各色の光の透過を遮断する遮光部と、を含み、前記複数の画素は、前記青色部に対応する青色画素と、前記赤色部に対応する赤色画素と、前記緑色部に対応する緑色画素と、を含み、前記複数の第１配線及び前記複数の第３配線は、銅を含む金属材料で形成されており、前記複数の第３配線は、前記複数の第１配線よりも前記液晶層側に形成されており、前記赤色画素を挟む隣り合う２本の前記第１配線の間隔である第１間隔は、前記青色画素を挟む隣り合う２本の前記第１配線の間隔である第２間隔と等しく、前記赤色画素を挟む隣り合う２本の前記第３配線の間隔である第３間隔は、前記青色画素を挟む隣り合う２本の前記第３配線の間隔である第４間隔よりも狭い、ことを特徴とする。
【００１８】
本発明に係る液晶表示装置では、前記第１配線はデータ線であり、前記第２配線はゲート線であり、かつ、前記第３配線は前記共通電極に共通電圧を供給する共通電極配線であってもよい。
【００１９】
本発明に係る液晶表示装置では、前記遮光部における前記第１方向に延在する部分は、前記第２方向に第５間隔で等間隔に配置されていてもよい。
【００２０】
本発明に係る液晶表示装置では、前記第５間隔は、前記第１間隔と等しく、前記第３間隔より広くてもよい。
【００２１】
本発明に係る液晶表示装置では、前記第５間隔は、前記第１間隔より狭く、前記第３間隔と等しくてもよい。
【００２２】
本発明に係る液晶表示装置では、前記第５間隔は、前記第１間隔より狭く、前記第３間隔より広くてもよい。
【発明の効果】
【００２３】
本発明に係る液晶表示装置によれば、バックライト光の信号配線における反射光に起因する表示ムラを低減することができる。
【図面の簡単な説明】
【００２４】
【図１】本実施形態に係る液晶表示装置の概略構成を示す平面図である。
【図２】本実施形態に係る表示パネルの一部の構成を示す平面図である。
【図３】図２のＡ−Ａ´断面図である。
【図４】図２のＢ−Ｂ´断面図である。
【図５】比較例に係る液晶表示装置の断面構造を示す断面図である。
【図６】本実施形態の変形例１に係る液晶表示装置の断面構造を示す断面図である。
【図７】本実施形態の変形例２に係る液晶表示装置の断面構造を示す断面図である。
【図８】本実施形態の変形例３に係る液晶表示装置の断面構造を示す断面図である。
【図９】本実施形態の変形例４に係る液晶表示装置の概略構成を示す平面図である。
【図１０】変形例４に係る表示パネルの一部の構成を示す平面図である。
【図１１】図１０のＣ−Ｃ´断面図である。
【発明を実施するための形態】
【００２５】
本発明の実施形態について、図面を用いて以下に説明する。
【００２６】
図１は、本実施形態に係る液晶表示装置の全体構成を示す平面図である。液晶表示装置１は、画像を表示する表示パネル１０と、表示パネル１０を駆動する駆動回路（データ線駆動回路、ゲート線駆動回路）と、駆動回路を制御する制御回路（図示せず）と、表示パネル１０に背面側から光を照射するバックライト（図示せず）と、を含んで構成されている。なお、駆動回路は、表示パネル１０に搭載されていてもよい。
【００２７】
図２は表示パネル１０の一部の構成を示す平面図である。図３は図２のＡ−Ａ´断面図であり、図４は図２のＢ−Ｂ´断面図である。図３に示すように、表示パネル１０は、背面側に配置される薄膜トランジスタ基板１００（以下、ＴＦＴ基板という。）と、前面側（表示面側）に配置され、ＴＦＴ基板１００に対向するカラーフィルタ基板２００（以下、ＣＦ基板という。）と、ＴＦＴ基板１００及びＣＦ基板２００の間に挟持される液晶層３００と、を含んでいる。なお、図２は便宜上、前面側から、ＣＦ基板２００を透視し、ＴＦＴ基板１００を見た状態を示している。
【００２８】
図１及び図２に示すように、ＴＦＴ基板１００には、第１方向（例えば列方向）に延在する複数のデータ線１１と、第１方向とは異なる第２方向（例えば行方向）に延在する複数のゲート線１２とが形成され、複数のデータ線１１と複数のゲート線１２とのそれぞれの交差部近傍に薄膜トランジスタ１３（以下、ＴＦＴという。）が形成され、隣り合う２本のデータ線１１と隣り合う２本のゲート線１２とにより囲まれる矩形領域が１つの画素１４として規定され、該画素１４がマトリクス状（行方向及び列方向）に複数配置されている。複数のデータ線１１は、行方向に等間隔で配置されており、複数のゲート線１２は、列方向に等間隔で配置されている。各画素１４には画素電極１５が設けられている。図２に示すように、各画素電極１５は、開口部（例えばスリット）を有し、ストライプ状に形成されている。またＴＦＴ基板１００には、各画素１４に共通する１つの共通電極２０（図３及び図４参照）が形成されており、共通電極２０上には複数の共通電極配線２１が形成されている。複数の共通電極配線２１は、第１方向（例えば列方向）に延在し、第２方向（例えば行方向）に所定の間隔で配置されている。共通電極配線２１の具体的な配置については後述する。ＴＦＴ１３は、ゲート絶縁膜１０３（図３及び図４参照）上に、非晶質シリコン（ａ−Ｓｉ）からなる半導体層１８が形成され、半導体層１８上にドレイン電極１６及びソース電極１７が形成されている。ドレイン電極１６はデータ線１１に電気的に接続され、ソース電極１７と画素電極１５とはコンタクトホール１９を介して電気的に接続されている。各データ線１１及び各共通電極配線２１は、少なくとも銅Ｃｕを含む金属配線で構成されている。各データ線１１及び各共通電極配線２１は、銅Ｃｕの１層構造を有していてもよいし、銅Ｃｕを含む多層構造を有していてもよい。
【００２９】
各データ線１１には、データ線駆動回路からデータ信号（階調電圧）が供給され、各ゲート線１２には、ゲート線駆動回路からゲート信号（ゲート電圧）が供給される。共通電極２０には、複数の共通電極配線２１（図３及び図４参照）を介して共通電圧Ｖｃｏｍが供給される。ゲート信号のオン電圧（ゲートオン電圧）がゲート線１２に供給されると、ゲート線１２に接続されたＴＦＴ１３がオンし、ＴＦＴ１３に接続されたデータ線１１を介して、データ電圧が画素電極１５に供給される。画素電極１５に供給されたデータ電圧と、共通電極２０に供給された共通電圧Ｖｃｏｍとの差により電界が生じる。この電界により液晶を駆動してバックライトの光の透過率を制御することによって画像表示を行う。なお、カラー表示を行う場合は、ストライプ状の着色部で形成された赤色、緑色、青色に対応するそれぞれの画素１４の画素電極１５に接続されたそれぞれのデータ線１１に、所望のデータ電圧を供給することにより実現される。
【００３０】
図４に示すように、ＣＦ基板２００には、各画素１４に対応して複数の着色部２０２が形成されている。各着色部２０２は、光の透過を遮断するブラックマトリクス２０３で囲まれており、例えば矩形状に形成されている。また、複数の着色部２０２は、赤色（Ｒ色）の材料で形成され、赤色の光を透過する赤色部２０２Ｒと、緑色（Ｇ色）の材料で形成され、緑色の光を透過する緑色部２０２Ｇと、青色（Ｂ色）の材料で形成され、青色の光を透過する青色部２０２Ｂと、を含んでいる。赤色部２０２Ｒ、緑色部２０２Ｇ、及び青色部２０２Ｂは、行方向にこの順に繰り返し配列され、同一色の着色部２０２が列方向に配列され、行方向及び列方向に隣り合う着色部２０２の境界部分にブラックマトリクス２０３が形成されている。
【００３１】
図１及び図２に示すように、複数の画素１４は、赤色部２０２Ｒに対応する赤色画素１４Ｒと、緑色部２０２Ｇに対応する緑色画素１４Ｇと、青色部２０２Ｂに対応する青色画素１４Ｂと、を含んでいる。また、これらの画素１４は着色部２０２の配置に対応して配列されており、赤色画素１４Ｒ、緑色画素１４Ｇ、及び青色画素１４Ｂが行方向にこの順に繰り返し配列され、同一色の画素１４が列方向に配列されている。
【００３２】
次に、図３及び図４を用いて、画素１４の断面構造について具体的に説明する。図３は、図２においてＴＦＴ１３を含む領域を行方向に切断した断面を示し、図４は、図２において画素１４の開口領域を行方向に切断した断面を示している。
【００３３】
図３を参照すると、ＴＦＴ基板１００において、ガラス基板１０１上にゲート線１２が形成されている。ゲート線１２は、アルミニウムＡｌ、モリブデンＭｏ、チタンＴｉあるいは銅Ｃｕを主成分とする金属材料、又は上記の複数の積層層、又は上記金属材料にタングステンＷ、マンガンＭｎあるいはチタンＴｉなどが添加された合金、又は上記の組み合わせにおける積層金属層から形成される。
【００３４】
ゲート線１２を覆うように、ゲート絶縁膜１０３が形成されている。ゲート絶縁膜１０３の材料としては、シリコンナイトライドＳｉＮを用いることができる。ゲート絶縁膜１０３上には半導体層１８が形成されている。半導体層１８上には、銅Ｃｕを主成分とするデータ線１１と、ＴＦＴ１３を構成するドレイン電極１６及びソース電極１７とが形成されている。ドレイン電極１６は、データ線１１に電気的に接続されている。
【００３５】
データ線１１とドレイン電極１６とソース電極１７とを覆うように、層間絶縁膜１０４が形成されている。層間絶縁膜１０４の材料としては、シリコンナイトライドＳｉＮ又は二酸化シリコンＳｉＯ２を用いることができる。
【００３６】
層間絶縁膜１０４上には、有機絶縁膜１０５が形成されている。有機絶縁膜１０５の材料としては、アクリルを主成分とする感光性の有機材料を用いることができる。有機材料は、例えば比誘電率が４以下であり、シリコンナイトライドＳｉＮの６．７に比べて低い。また製法上、有機材料は、シリコンナイトライドＳｉＮに比べて厚く成膜することができる。有機絶縁膜１０５の厚さは、例えば１．５μｍから３μｍに設定されている。比誘電率を低く、かつ膜厚を厚くすることができるため、有機絶縁膜１０５の上に配置される共通電極２０と、有機絶縁膜１０５の下に配置されるデータ線１１又はゲート線１２との間に形成される配線容量を大幅に低減することができる。
【００３７】
有機絶縁膜１０５の上には、共通電極２０が形成されている。共通電極２０は、透明の電極材料ＩＴＯで構成されている。共通電極２０の材料としては、例えば、インジウム・錫・酸化物や、インジウム・亜鉛・酸化物を用いることができる。各画素１４の領域は、ＴＦＴ１３が形成される領域を除いて、共通電極２０に覆われている。すなわち、共通電極２０は、データ線１１を覆っており、シールド電極としての機能を有している。これにより、例えばデータ線１１から発せられる電界ノイズが液晶層３００へ侵入することを防止することができる。共通電極２０の上には、共通電極２０に共通電圧Ｖｃｏｍを供給する共通電極配線２１が形成されている。共通電極配線２１は、銅Ｃｕを主成分とする金属材料が形成されている。
【００３８】
共通電極２０及び共通電極配線２１を覆うように、上層絶縁膜１０６が形成されている。上層絶縁膜１０６の材料としては、シリコンナイトライドＳｉＮを用いることができる。上層絶縁膜１０６の上には、画素電極１５が形成されている。画素電極１５は、透明の電極材料ＩＴＯで構成されている。画素電極１５は、層間絶縁膜１０４及び上層絶縁膜１０６に形成されたコンタクトホール１９を介して、ソース電極１７に電気的に接続されている。図示はしていないが、画素電極１５を覆うように配向膜が形成されており、ガラス基板１０１の外側には偏光板が形成されている。なお、図３及び図４に示す構成では、共通電極２０が下層に配置され、画素電極１５が上層に配置されているが、画素電極１５が下層に配置され、共通電極２０が上層に配置されてもよい。また、有機絶縁膜１０５が省略されていてもよい。
【００３９】
ＣＦ基板２００において、ガラス基板２０１上に着色部２０２（図４参照）とブラックマトリクス２０３とが形成されている。着色部２０２は、例えば赤色、緑色及び青色の顔料分散レジストによる着色層により形成されており、ブラックマトリクス２０３は、黒色の顔料を用いた樹脂材料あるいは金属材料で形成されている。着色部２０２及びブラックマトリクス２０３を覆うようにオーバーコート膜２０４が形成されており、オーバーコート膜２０４の上に配向膜２０５が形成されている。図示はしないが、ガラス基板２０１の外側には偏光板が形成されている。ブラックマトリクス２０３の列方向に延在する部分の行方向の間隔（配列ピッチ）は、互いに略等しくなっている。例えば、青色部２０２Ｂの両側に配置されるブラックマトリクス２０３の中心Ｃｇｂ及び中心Ｃｂｒの間隔Ｐｃ−Ｂと、赤色部２０２Ｒの両側に配置されるブラックマトリクス２０３の中心Ｃｂｒ及び中心Ｃｒｇの間隔Ｐｃ−Ｒと、緑色部２０２Ｇの両側に配置されるブラックマトリクス２０３の中心Ｃｒｇ及び中心Ｃｇｂの間隔Ｐｃ−Ｇとは互いに略等しくなっている（Ｐｃ−Ｂ＝Ｐｃ−Ｒ＝Ｐｃ−Ｇ）。
【００４０】
次に、共通電極配線２１の具体的な配置については説明する。共通電極配線２１は、バックライト光のＣｕ配線における反射光に起因する表示ムラを低減し得る位置に配置されている。
【００４１】
先ず、上記表示ムラが生じる原理について、図５を用いて説明する。図５は、比較例に係る液晶表示装置の断面図である。比較例では、ブラックマトリクス２０３の列方向に延在する部分の行方向の間隔は、互いに略等しく（Ｐｃ−Ｂ＝Ｐｃ−Ｒ＝Ｐｃ−Ｇ）、データ線１１の行方向の間隔も、互いに略等しく（Ｐｄ−Ｂ＝Ｐｄ−Ｒ＝Ｐｄ−Ｇ）、共通電極配線２１の行方向の間隔も、互いに略等しくなっている（Ｐｍ−Ｂ＝Ｐｍ−Ｒ＝Ｐｍ−Ｇ）。また、データ線１１と共通電極配線２１とブラックマトリクス２０３のそれぞれの行方向の幅の中心位置が一致している。具体的には、緑色画素１４Ｇと青色画素１４Ｂの境界に配置されるデータ線１１と共通電極配線２１とブラックマトリクス２０３のそれぞれの中心Ｄｇｂ，Ｍｇｂ，Ｃｇｂの位置が互いに一致しており、青色画素１４Ｂと赤色画素１４Ｒの境界に配置されるデータ線１１と共通電極配線２１とブラックマトリクス２０３のそれぞれの中心Ｄｂｒ，Ｍｂｒ，Ｃｂｒの位置が互いに一致しており、赤色画素１４Ｒと緑色画素１４Ｇの境界に配置されるデータ線１１と共通電極配線２１とブラックマトリクス２０３のそれぞれの中心Ｄｒｇ，Ｍｒｇ，Ｃｒｇの位置が互いに一致している。
【００４２】
比較例の上記構成において、赤色画素１４Ｒに着目すると、赤色画素１４Ｒに隣り合う青色画素１４Ｂ及び緑色画素１４Ｇに照射されたバックライト光（ＢＬ光）が、青色画素１４Ｂ及び赤色画素１４Ｒの境界に配置される共通電極配線２１や、赤色画素１４Ｒ及び緑色画素１４Ｇの境界に配置される共通電極配線２１で反射し、この反射光が、青色画素１４Ｂ及び赤色画素１４Ｒの境界に配置されるデータ線１１や、赤色画素１４Ｒ及び緑色画素１４Ｇの境界に配置されるデータ線１１で再び反射される。共通電極配線２１及びデータ線１１は銅Ｃｕからなる金属配線のため、これらの反射光は赤色を主成分として含む。このため、データ線１１を反射した反射光は、赤色部２０２Ｒを透過してＣＦ基板２００から外部（表示面側）へ出射され、表示ムラを引き起こす。
【００４３】
これに対し、本実施形態に係る液晶表示装置１は、上記反射光の外部（表示面側）への出射を遮断する構成を有している。図２及び図４を用いて、具体的な構成について説明する。
【００４４】
ブラックマトリクス２０３及びデータ線１１の配置は、図５に示す比較例と同様である。すなわち、ブラックマトリクス２０３の列方向に延在する部分の行方向の間隔は、互いに略等しく（Ｐｃ−Ｂ＝Ｐｃ−Ｒ＝Ｐｃ−Ｇ）、データ線１１の行方向の間隔も、互いに略等しくなっている（Ｐｄ−Ｂ＝Ｐｄ−Ｒ＝Ｐｄ−Ｇ）。
【００４５】
これに対し、共通電極配線２１については、赤色画素１４Ｒに対応する共通電極配線２１の間隔が、他の画素に対応する共通電極配線２１の間隔と異なっている。具体的には、緑色画素１４Ｇ及び青色画素１４Ｂの境界に配置される共通電極配線２１の中心Ｍｇｂの位置は、データ線１１の中心Ｄｇｂ及びブラックマトリクス２０３の中心Ｃｇｂの位置と一致しており、青色画素１４Ｂ及び赤色画素１４Ｒの境界に配置される共通電極配線２１の中心Ｍｂｒの位置は、データ線１１の中心Ｄｂｒ及びブラックマトリクス２０３の中心Ｃｂｒの位置よりも、赤色画素１４Ｒ側にずれており、赤色画素１４Ｒ及び緑色画素１４Ｇの境界に配置される共通電極配線２１の中心Ｍｒｇは、データ線１１の中心Ｄｒｇ及びブラックマトリクス２０３の中心Ｃｒｇの位置よりも、赤色画素１４Ｒ側にずれている。例えば、図２及び図４に示すように、青色画素１４Ｂ及び赤色画素１４Ｒの境界に配置される共通電極配線２１の中心Ｍｂｒの位置は、中心Ｄｂｒ，Ｃｂｒの位置よりも幅ｗ１だけ赤色画素１４Ｒ側にずれており、赤色画素１４Ｒ及び緑色画素１４Ｇの境界に配置される共通電極配線２１の中心Ｍｒｇは、中心Ｄｒｇ，Ｃｒｇの位置よりも幅ｗ１だけ赤色画素１４Ｒ側にずれている。各幅ｗ１は互いに等しくてもよいし異なっていてもよい。このように、赤色画素１４Ｒに対応する共通電極配線２１の行方向の間隔Ｐｍ−Ｒは、青色画素１４Ｂに対応する共通電極配線２１の行方向の間隔Ｐｍ−Ｂ、及び、緑色画素１４Ｇに対応する共通電極配線２１の行方向の間隔Ｐｍ−Ｇよりも狭くなっている（Ｐｍ−Ｒ＜Ｐｍ−Ｂ，Ｐｍ−Ｒ＜Ｐｍ−Ｇ）。
【００４６】
また、ブラックマトリクス２０３に着目すれば、図４に示すように、赤色画素１４Ｒに対応する部分の間隔Ｐｃ−Ｒは、データ線１１の間隔Ｐｄ−Ｒと等しく、共通電極配線２１の間隔Ｐｍ−Ｒより広くなっている。
【００４７】
液晶表示装置１の上記構成によれば、赤色画素１４Ｒに隣り合う青色画素１４Ｂ及び緑色画素１４Ｇに照射されたバックライト光（ＢＬ光）が、青色画素１４Ｂ及び赤色画素１４Ｒの境界に配置される共通電極配線２１や、赤色画素１４Ｒ及び緑色画素１４Ｇの境界に配置される共通電極配線２１で反射されたとしても、この反射光は、青色画素１４Ｂ及び赤色画素１４Ｒの境界に配置されるデータ線１１や、赤色画素１４Ｒ及び緑色画素１４Ｇの境界に配置されるデータ線１１に到達し難くなり、ＴＦＴ基板１００の背面側に出射される。すなわち、バックライト光がデータ線１１及び共通電極配線２１に反射することにより生じる赤色を主成分として含む反射光が、赤色部２０２Ｒへ入射することを抑えることができる。これにより、ＣＦ基板２００から外部（表示面側）へ出射される反射光を低減することができるため、表示ムラを低減することができる。
【００４８】
本実施形態に係る液晶表示装置１は、上記構成に限定されない。図６は、変形例１に係る液晶表示装置１の構成を示す断面図である。ここでは、変形例１に係る液晶表示装置１の平面構成は省略し、図４に示す断面構成に対応する部分を示す。
【００４９】
変形例１に係る液晶表示装置１では、ブラックマトリクス２０３の列方向に延在する部分及び共通電極配線２１が行方向に等間隔で配置され、データ線１１については、赤色画素１４Ｒに対応するデータ線１１の間隔が、他の画素に対応するデータ線１１の間隔と異なっている。すなわち、ブラックマトリクス２０３の列方向に延在する部分の行方向の間隔が、互いに略等しく（Ｐｃ−Ｂ＝Ｐｃ−Ｒ＝Ｐｃ−Ｇ）、共通電極配線２１の行方向の間隔が、互いに略等しくなっている（Ｐｍ−Ｂ＝Ｐｍ−Ｒ＝Ｐｍ−Ｇ）。そして、緑色画素１４Ｇ及び青色画素１４Ｂの境界に配置されるデータ線１１の中心Ｄｇｂの位置は、共通電極配線２１の中心Ｍｇｂと、ブラックマトリクス２０３の中心Ｃｇｂの位置と一致しており、青色画素１４Ｂ及び赤色画素１４Ｒの境界に配置されるデータ線１１の中心Ｄｂｒの位置は、共通電極配線２１の中心Ｍｂｒ及びブラックマトリクス２０３の中心Ｃｂｒの位置よりも、青色画素１４Ｂ側にずれており、赤色画素１４Ｒ及び緑色画素１４Ｇの境界に配置されるデータ線１１の中心Ｄｒｇは、共通電極配線２１の中心Ｍｒｇ及びブラックマトリクス２０３の中心Ｃｒｇの位置よりも、緑色画素１４Ｇ側にずれている。例えば、図６に示すように、青色画素１４Ｂ及び赤色画素１４Ｒの境界に配置されるデータ線１１の中心Ｄｂｒの位置は、中心Ｍｂｒ，Ｃｂｒの位置よりも幅ｗ２だけ青色画素１４Ｂ側にずれており、赤色画素１４Ｒ及び緑色画素１４Ｇの境界に配置されるデータ線１１の中心Ｄｒｇは、中心Ｍｒｇ，Ｃｒｇの位置よりも幅ｗ２だけ緑色画素１４Ｇ側にずれている。各幅ｗ２は互いに等しくてもよいし異なっていてもよい。このように、赤色画素１４Ｒに対応するデータ線１１の行方向の間隔Ｐｄ−Ｒは、青色画素１４Ｂに対応するデータ線１１の行方向の間隔Ｐｄ−Ｂ、及び、緑色画素１４Ｇに対応するデータ線１１の行方向の間隔Ｐｄ−Ｇよりも広くなっている（Ｐｄ−Ｒ＞Ｐｄ−Ｂ，Ｐｄ−Ｒ＞Ｐｄ−Ｇ）。なお、変形例１に係る液晶表示装置１においても、共通電極配線２１に着目すれば、共通電極配線２１の中心Ｍｂｒの位置は、データ線１１の中心Ｄｂｒの位置よりも赤色画素１４Ｒ側にずれており、共通電極配線２１の中心Ｍｒｇの位置は、データ線１１の中心Ｄｒｇの位置よりも、赤色画素１４Ｒ側にずれていると言える。
【００５０】
また、ブラックマトリクス２０３に着目すれば、図６に示すように、赤色画素１４Ｒに対応する部分の間隔Ｐｃ−Ｒは、データ線１１の間隔Ｐｄ−Ｒより狭く、共通電極配線２１の間隔Ｐｍ−Ｒと等しくなっている。
【００５１】
変形例１に係る液晶表示装置１の上記構成によれば、図４に示す構成と同様に、共通電極配線２１によるバックライト光の反射光は、青色画素１４Ｂ及び赤色画素１４Ｒの境界に配置されるデータ線１１や、赤色画素１４Ｒ及び緑色画素１４Ｇの境界に配置されるデータ線１１に到達し難くなり、ＴＦＴ基板１００の背面側に出射される。これにより、ＣＦ基板２００から外部（表示面側）へ出射される反射光を低減することができるため、表示ムラを低減することができる。
【００５２】
図７は、変形例２に係る液晶表示装置１の構成を示す断面図である。ここでも、変形例２に係る液晶表示装置１の平面構成は省略し、図４に示す断面構成に対応する部分を示す。
【００５３】
変形例２に係る液晶表示装置１では、ブラックマトリクス２０３の列方向に延在する部分が行方向に等間隔で配置され、データ線１１及び共通電極配線２１については、赤色画素１４Ｒに対応するデータ線１１及び共通電極配線２１の間隔が、他の画素に対応するデータ線１１及び共通電極配線２１の間隔と異なっている。すなわち、ブラックマトリクス２０３の列方向に延在する部分の行方向の間隔は、互いに略等しくなっている（Ｐｃ−Ｂ＝Ｐｃ−Ｒ＝Ｐｃ−Ｇ）。
【００５４】
緑色画素１４Ｇ及び青色画素１４Ｂの境界に配置される共通電極配線２１の中心Ｍｇｂの位置は、ブラックマトリクス２０３の中心Ｃｇｂの位置と一致しており、青色画素１４Ｂ及び赤色画素１４Ｒの境界に配置される共通電極配線２１の中心Ｍｂｒの位置は、ブラックマトリクス２０３の中心Ｃｂｒの位置よりも、赤色画素１４Ｒ側にずれており、赤色画素１４Ｒ及び緑色画素１４Ｇの境界に配置される共通電極配線２１の中心Ｍｒｇは、ブラックマトリクス２０３の中心Ｃｒｇの位置よりも、赤色画素１４Ｒ側にずれている。例えば、図７に示すように、青色画素１４Ｂ及び赤色画素１４Ｒの境界に配置される共通電極配線２１の中心Ｍｂｒの位置は、中心Ｃｂｒの位置よりも幅ｓ１だけ赤色画素１４Ｒ側にずれており、赤色画素１４Ｒ及び緑色画素１４Ｇの境界に配置される共通電極配線２１の中心Ｍｒｇは、中心Ｃｒｇの位置よりも幅ｓ１だけ赤色画素１４Ｒ側にずれている。各幅ｓ１は互いに等しくてもよいし異なっていてもよい。このように、赤色画素１４Ｒに対応する共通電極配線２１の行方向の間隔Ｐｍ−Ｒは、青色画素１４Ｂに対応する共通電極配線２１の行方向の間隔Ｐｍ−Ｂ、及び、緑色画素１４Ｇに対応する共通電極配線２１の行方向の間隔Ｐｍ−Ｇよりも狭くなっている（Ｐｍ−Ｒ＜Ｐｍ−Ｂ，Ｐｍ−Ｒ＜Ｐｍ−Ｇ）。
【００５５】
また、緑色画素１４Ｇ及び青色画素１４Ｂの境界に配置されるデータ線１１の中心Ｄｇｂの位置は、ブラックマトリクス２０３の中心Ｃｇｂの位置と一致しており、青色画素１４Ｂ及び赤色画素１４Ｒの境界に配置されるデータ線１１の中心Ｄｂｒの位置は、ブラックマトリクス２０３の中心Ｃｂｒの位置よりも、青色画素１４Ｂ側にずれており、赤色画素１４Ｒ及び緑色画素１４Ｇの境界に配置されるデータ線１１の中心Ｄｒｇは、ブラックマトリクス２０３の中心Ｃｒｇの位置よりも、緑色画素１４Ｇ側にずれている。例えば、図７に示すように、青色画素１４Ｂ及び赤色画素１４Ｒの境界に配置されるデータ線１１の中心Ｄｂｒの位置は、中心Ｃｂｒの位置よりも幅ｓ２だけ青色画素１４Ｂ側にずれており、赤色画素１４Ｒ及び緑色画素１４Ｇの境界に配置されるデータ線１１の中心Ｄｒｇは、中心Ｃｒｇの位置よりも幅ｓ２だけ緑色画素１４Ｇ側にずれている。各幅ｓ２は互いに等しくてもよいし異なっていてもよい。また幅ｓ１，ｓ２は互いに等しくてもよいし異なっていてもよい。なお、変形例２に係る液晶表示装置１においても、共通電極配線２１に着目すれば、共通電極配線２１の中心Ｍｂｒの位置は、データ線１１の中心Ｄｂｒの位置よりも赤色画素１４Ｒ側にずれており、共通電極配線２１の中心Ｍｒｇの位置は、データ線１１の中心Ｄｒｇの位置よりも、赤色画素１４Ｒ側にずれていると言える。
【００５６】
また、ブラックマトリクス２０３に着目すれば、図７に示すように、赤色画素１４Ｒに対応する部分の間隔Ｐｃ−Ｒは、データ線１１の間隔Ｐｄ−Ｒより狭く、共通電極配線２１の間隔Ｐｍ−Ｒより広くなっている。
【００５７】
変形例２に係る液晶表示装置１の上記構成によれば、図４に示す構成と同様に、共通電極配線２１によるバックライト光の反射光が、青色画素１４Ｂ及び赤色画素１４Ｒの境界に配置されるデータ線１１や、赤色画素１４Ｒ及び緑色画素１４Ｇの境界に配置されるデータ線１１に到達し難くなり、ＴＦＴ基板１００の背面側に出射される。これにより、ＣＦ基板２００から外部（表示面側）へ出射される反射光を低減することができるため、表示ムラを低減することができる。また、変形例２に係る液晶表示装置１の上記構成によれば、共通電極配線２１とデータ線１１との間の距離ｗ３を、図４の構成における距離ｗ１及び図６の構成における距離ｗ２と同じ値に維持しつつ、共通電極配線２１及びデータ線１１それぞれの中心における、ブラックマトリクス２０３の中心からのずれ量を小さくすることができる。このため、例えば製造工程においてＴＦＴ基板１００及びＣＦ基板２００の貼り合わせる際に位置ずれが生じた場合でも、位置ずれを補償するマージンを大きく取ることができるため、画素の開口率や光の透過率の低下を低減することができる。
【００５８】
本実施形態に係る液晶表示装置１は、赤色画素１４Ｒと、赤色画素１４Ｒに隣り合う画素（例えば、青色画素１４Ｂ、緑色画素１４Ｇ）との境界に配置される共通電極配線２１が、当該境界に配置されるデータ線１１よりも赤色画素１４Ｒ側に配置されている。
【００５９】
図８は、変形例３に係る液晶表示装置１の構成を示す断面図である。ここでも、変形例３に係る液晶表示装置１の平面構成は省略し、図４に示す断面構成に対応する部分を示す。
【００６０】
変形例３に係る液晶表示装置１では、図４に示す構成において、データ線１１と共通電極配線２１の位置が逆転している。具体的には、図８に示すように、共通電極配線２１はゲート絶縁膜１０３上に形成され、共通電極配線２１を覆うように層間絶縁膜１０４が形成されている。データ線１１は有機絶縁膜１０５上に形成され、データ線１１を覆うように上層絶縁膜１０６が形成されている。上層絶縁膜１０６上には共通電極２０が形成されており、共通電極２０を覆うように絶縁膜１０７が形成されている。なお、共通電極配線２１は、図示しないコンタクトホールを介して共通電極２０に電気的に接続されている。
【００６１】
また、ブラックマトリクス２０３の列方向に延在する部分の行方向の間隔は、互いに略等しく（Ｐｃ−Ｂ＝Ｐｃ−Ｒ＝Ｐｃ−Ｇ）、共通電極配線２１の行方向の間隔は、互いに略等しくなっている（Ｐｍ−Ｂ＝Ｐｍ−Ｒ＝Ｐｍ−Ｇ）。そして、緑色画素１４Ｇ及び青色画素１４Ｂの境界に配置されるデータ線１１の中心Ｄｇｂの位置は、共通電極配線２１の中心Ｍｇｂと、ブラックマトリクス２０３の中心Ｃｇｂの位置と一致しており、青色画素１４Ｂ及び赤色画素１４Ｒの境界に配置されるデータ線１１の中心Ｄｂｒの位置は、共通電極配線２１の中心Ｍｂｒ及びブラックマトリクス２０３の中心Ｃｂｒの位置よりも、赤色画素１４Ｒ側にずれており、赤色画素１４Ｒ及び緑色画素１４Ｇの境界に配置されるデータ線１１の中心Ｄｒｇは、共通電極配線２１の中心Ｍｒｇ及びブラックマトリクス２０３の中心Ｃｒｇの位置よりも、赤色画素１４Ｒ側にずれている。例えば、図８に示すように、青色画素１４Ｂ及び赤色画素１４Ｒの境界に配置されるデータ線１１の中心Ｄｂｒの位置は、中心Ｍｂｒ，Ｃｂｒの位置よりも幅ｗ４だけ赤色画素１４Ｒ側にずれており、赤色画素１４Ｒ及び緑色画素１４Ｇの境界に配置されるデータ線１１の中心Ｄｒｇは、中心Ｍｒｇ，Ｃｒｇの位置よりも幅ｗ４だけ赤色画素１４Ｒ側にずれている。各幅ｗ４は互いに等しくてもよいし異なっていてもよい。このように、赤色画素１４Ｒに対応するデータ線１１の行方向の間隔Ｐｄ−Ｒは、青色画素１４Ｂに対応するデータ線１１の行方向の間隔Ｐｄ−Ｂ、及び、緑色画素１４Ｇに対応するデータ線１１の行方向の間隔Ｐｄ−Ｇよりも狭くなっている（Ｐｄ−Ｒ＜Ｐｄ−Ｂ，Ｐｄ−Ｒ＜Ｐｄ−Ｇ）。なお、共通電極配線２１に着目すれば、共通電極配線２１の中心Ｍｂｒの位置は、データ線１１の中心Ｄｂｒの位置よりも青色画素１４Ｂ側にずれており、共通電極配線２１の中心Ｍｒｇの位置は、データ線１１の中心Ｄｒｇの位置よりも、緑色画素１４Ｇ側にずれていると言える。
【００６２】
このように本実施形態に係る液晶表示装置１は、赤色画素１４Ｒと、赤色画素１４Ｒに隣り合う画素（例えば、青色画素１４Ｂ、緑色画素１４Ｇ）との境界に配置されるデータ線１１が、当該境界に配置される共通電極配線２１よりも赤色画素１４Ｒ側に配置されていてもよい。
【００６３】
図９は、変形例４に係る液晶表示装置１の画素１４の配置を示す平面図である。図１０は、変形例４に係る表示パネル１０の一部の構成を示す平面図である。変形例３に係る液晶表示装置１では、赤色画素１４Ｒ、緑色画素１４Ｇ、及び青色画素１４Ｂが列方向にこの順に繰り返し配列され、同一色の画素１４が行方向に配列されている。
【００６４】
変形例４に係る液晶表示装置１では、図１０に示すように、複数の共通電極配線２１が、行方向に延在し列方向に所定の間隔で配置されている。また、平面的に見て、共通電極配線２１は、少なくとも一部がゲート線１２に重なるように配置されている。
【００６５】
図１１は、図１０において画素１４の開口領域を列方向に切断した断面を示している。以下では、図４に示した断面構成と同一の構成については説明を適宜省略する。ブラックマトリクス２０３の列方向に延在する部分の列方向の間隔は、互いに略等しく（Ｐｃ−Ｂ＝Ｐｃ−Ｒ＝Ｐｃ−Ｇ）、ゲート線１２の列方向の間隔は、互いに略等しくなっている（Ｐｇ−Ｂ＝Ｐｇ−Ｒ＝Ｐｇ−Ｇ）。そして、緑色画素１４Ｇ及び青色画素１４Ｂの境界に配置される共通電極配線２１の中心Ｍｇｂの位置は、ゲート線１２の中心Ｇｇｂと、ブラックマトリクス２０３の中心Ｃｇｂの位置と一致しており、青色画素１４Ｂ及び赤色画素１４Ｒの境界に配置される共通電極配線２１の中心Ｍｂｒの位置は、ゲート線１２の中心Ｇｂｒ及びブラックマトリクス２０３の中心Ｃｂｒの位置よりも、赤色画素１４Ｒ側にずれており、赤色画素１４Ｒ及び緑色画素１４Ｇの境界に配置される共通電極配線２１の中心Ｍｒｇは、ゲート線１２の中心Ｇｒｇ及びブラックマトリクス２０３の中心Ｃｒｇの位置よりも、赤色画素１４Ｒ側にずれている。例えば、図１０及び図１１に示すように、青色画素１４Ｂ及び赤色画素１４Ｒの境界に配置される共通電極配線２１の中心Ｍｂｒの位置は、中心Ｇｂｒ，Ｃｂｒの位置よりも幅ｗ５だけ赤色画素１４Ｒ側にずれており、赤色画素１４Ｒ及び緑色画素１４Ｇの境界に配置される共通電極配線２１の中心Ｍｒｇは、中心Ｇｒｇ，Ｃｒｇの位置よりも幅ｗ５だけ赤色画素１４Ｒ側にずれている。各幅ｗ５は互いに等しくてもよいし異なっていてもよい。このように、赤色画素１４Ｒに対応する共通電極配線２１の列方向の間隔Ｐｍ−Ｒは、青色画素１４Ｂに対応する共通電極配線２１の列方向の間隔Ｐｍ−Ｂ、及び、緑色画素１４Ｇに対応する共通電極配線２１の列方向の間隔Ｐｍ−Ｇよりも狭くなっている（Ｐｍ−Ｒ＜Ｐｍ−Ｂ，Ｐｍ−Ｒ＜Ｐｍ−Ｇ）。なお、ゲート線１２に着目すれば、ゲート線１２の中心Ｇｂｒの位置は、共通電極配線２１の中心Ｍｂｒの位置よりも青色画素１４Ｂ側にずれており、ゲート線１２の中心Ｇｒｇの位置は、共通電極配線２１の中心Ｍｒｇの位置よりも、緑色画素１４Ｇ側にずれていると言える。
【００６６】
このように本実施形態に係る液晶表示装置１は、赤色画素１４Ｒと、赤色画素１４Ｒに隣り合う画素（例えば、青色画素１４Ｂ、緑色画素１４Ｇ）との境界に配置され、行方向に延在する共通電極配線２１が、当該境界に配置されるゲート線１２よりも赤色画素１４Ｒ側に配置されていてもよい。
【００６７】
また、他の変形例として、ブラックマトリクス２０３の行方向に延在する部分の列方向の間隔が互いに略等しく（Ｐｃ−Ｂ＝Ｐｃ−Ｒ＝Ｐｃ−Ｇ）、共通電極配線２１の列方向の間隔が互いに略等しく（Ｐｍ−Ｂ＝Ｐｍ−Ｒ＝Ｐｍ−Ｇ）、ゲート線１２の中心Ｇｇｂの位置が、共通電極配線２１の中心Ｍｇｂと、ブラックマトリクス２０３の中心Ｃｇｂの位置と一致しており、青色画素１４Ｂ及び赤色画素１４Ｒの境界に配置されるゲート線１２の中心Ｇｂｒの位置が、共通電極配線２１の中心Ｍｂｒ及びブラックマトリクス２０３の中心Ｃｂｒの位置よりも、青色画素１４Ｂ側にずれており、赤色画素１４Ｒ及び緑色画素１４Ｇの境界に配置されるゲート線１２の中心Ｇｒｇが、共通電極配線２１の中心Ｍｒｇ及びブラックマトリクス２０３の中心Ｃｒｇの位置よりも、緑色画素１４Ｇ側にずれていてもよい。
【００６８】
なお、上述した液晶表示装置１では、着色部２０２が、赤色部２０２Ｒ、緑色部２０２Ｇ及び青色部２０２Ｂを含んでいるが、これに限定されず、赤緑青以外の色を透過する着色部が含まれてもよい。また、データ線１１と共通電極配線２１とブラックマトリクス２０３とは、平面的に見て、少なくともそれぞれの一部が相互に重なっていることが好ましい。
【００６９】
上述した液晶表示装置１の画素構造は、ＩＰＳ方式の構造を有しているが、これに限定されない。また、上述した液晶表示装置１では、Ｃｕ配線として共通電極配線２１を例に挙げたが、これに限定されず、Ｃｕ配線が他の用途に使用されてもよい。
【００７０】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００７１】
１  液晶表示装置、１０  表示パネル、１００  ＴＦＴ基板、２００  ＣＦ基板、３００  液晶層、１１  データ線、１２  ゲート線、１３  ＴＦＴ、１４  画素、１４Ｒ  赤色画素、１４Ｇ  緑色画素、１４Ｂ  青色画素、１５  画素電極、１６  ドレイン電極、１７  ソース電極、１８  半導体層、１９  コンタクトホール、２０  共通電極、２１  共通電極配線、１０３  ゲート絶縁膜、１０４  層間絶縁膜、１０５  有機絶縁膜、１０６  上層絶縁膜、２０２  着色部、２０２Ｒ  赤色部、２０２Ｇ  緑色部、２０２Ｂ  青色部、２０３  ブラックマトリクス。
【図１】
2017167351.tif 000003
【図２】
2017167351.tif 000004
【図３】
2017167351.tif 000005
【図４】
2017167351.tif 000006
【図５】
2017167351.tif 000007
【図６】
2017167351.tif 000008
【図７】
2017167351.tif 000009
【図８】
2017167351.tif 000010
【図９】
2017167351.tif 000011
【図１０】
2017167351.tif 000012
【図１１】
2017167351.tif 000013